(57)【要約】【課題】太陽電池パネルの設置時及びビニルフィルムの交換時の手間を軽減する。【解決手段】ビニルハウス１０１に設置される太陽光発電装置１００であって、ビニルハウス１０１の各側方にて地面Ｇに固定される固定部材１０２の対と、複数の太陽光発電パネル１０６と、複数の太陽光発電パネル１０６を一方向に連結するための連結部材１０７と、連結部材１０７の端部を固定部材１０２に着脱可能に取り付けるための係止部材１０８とを備える。固定部材１０２の各々は、ビニルハウス１０１の側方にて前後方向に沿って配置される棒状の部位であり、係止部材１０８が係止される棒状部１０４と、棒状部１０４を地面Ｇに対して固定するための部位であって、棒状部１０４から一方向へ突き出す複数の固定部１０５とを有する。【選択図】図２
2019071765.tif 000002
【特許請求の範囲】
【請求項１】
ビニルハウスに設置される太陽光発電装置であって、
前記ビニルハウスの各側方にて地面に固定される固定部材の対と、
複数の太陽光発電パネルと、
前記複数の太陽光発電パネルを連結するための一連の部材であって、前記ビニルハウスの上方にて前記ビニルハウスに横架される少なくとも１つの連結部材と、
前記少なくとも１つの連結部材の両端部に設けられており、前記少なくとも１つの連結部材の一方の端部と他方の端部とを、当該一方の端部と当該他方の端部とそれぞれの近くに位置する前記固定部材の一方と他方とに着脱可能に取り付けるための複数の係止部材とを備え、
前記固定部材の各々は、
前記ビニルハウスの側方にて前記奥行方向に沿って配置される棒状の部位であり、前記係止部材が係止される棒状部と、
前記棒状部を地面に対して固定するための複数の固定部とを有する
ことを特徴とする太陽光発電装置。
【請求項２】
ビニルハウスに設置される太陽光発電装置であって、
前記ビニルハウスの各側方にて地面に固定される固定部材の対と、
前記ビニルハウスの上部にて前記奥行方向に沿って配置されるガイドレールと、
前記ガイドレールに沿って前記奥行方向に移動する移動部材と、
複数の太陽光発電パネルと、
前記複数の太陽光発電パネルを連結するための一連の部材である少なくとも１つの連結部材と、
前記少なくとも１つの連結部材の一方の端部に設けられており、当該一方の端部を当該一方の端部の近くに位置する前記固定部材の一方に着脱可能に取り付けるための少なくとも１つの係止部材とを備え、
前記固定部材の各々は、
前記ビニルハウスの側方にて前記奥行方向に沿って配置される棒状の部位であり、前記係止部材が係止される棒状部と、
前記棒状部を地面に対して固定するための複数の固定部とを有し、
前記少なくとも１つの連結部材の端部の他方は、前記移動部材に取り付けられている
ことを特徴とする太陽光発電装置。
【請求項３】
前記少なくとも１つの連結部材は、一対の連結部材を含み、
前記一対の連結部材は、各々の前記他方の端部が前記移動部材に取り付けられて、当該移動部材から互いに離れる方向へ配置され、
前記少なくとも１つの係止部材は、複数であって、前記一対の連結部材のうちの一方の連結部材が有する前記一方の端部を当該一方の端部の近くに位置する前記固定部材の一方に着脱可能に取り付けるための係止部材と、前記一対の連結部材のうちの他方の連結部材が有する前記一方の端部を当該一方の端部の近くに位置する前記固定部材の他方に着脱可能に取り付けるための係止部材とを含む
ことを特徴とする請求項２に記載の太陽光発電装置。
【請求項４】
前記少なくとも１つの連結部材は、可撓性を有する
ことを特徴とする請求項１から３のいずれか１項に記載の太陽光発電装置。
【請求項５】
前記少なくとも１つの連結部材は、前記複数の太陽光パネルを連結した状態で上方へ突き出した湾曲形状を維持する硬さを有する
ことを特徴とする請求項１から３のいずれか１項に記載の太陽光発電装置。
【請求項６】
前記少なくとも１つの連結部材は、金属製である
ことを特徴とする請求項５に記載の太陽光発電装置。
【請求項７】
前記連結部材は、複数であって、互いに平行に延びて配置されており、
前記太陽光発電装置は、前記複数の連結部材の各々と交差する方向に延びて配置され、前記複数の連結部材のうち、少なくとも２つの連結部材に固定される複数の接続部材をさらに備える
ことを特徴とする請求項１から６のいずれか１項に記載の太陽光発電装置。
【請求項８】
前記複数の接続部材は、前記複数の太陽光発電パネルが固定される
ことを特徴とする請求項７に記載の太陽光発電装置。
【請求項９】
前記複数の連結部材は、前記複数の太陽光発電パネルが固定されている
ことを特徴とする請求項１から８のいずれか１項に記載の太陽光発電装置。
【請求項１０】
ビニルハウスに複数の太陽光発電パネルを取り付けるための太陽光発電パネル取付装置であって、
前記ビニルハウスの各側方にて地面に固定される固定部材の対と、
前記複数の太陽光発電パネルを連結するための一連の部材である少なくとも１つの連結部材と、
前記少なくとも１つの連結部材の一方又は両方の端部に設けられており、当該一方又は両方の端部を、それぞれの近くに位置する前記固定部材の一方又は両方に着脱可能に取り付けるための係止部材とを備え、
前記固定部材の各々は、
前記ビニルハウスの側方にて前記奥行方向に沿って配置され、前記係止部材が係止される棒状部と、
前記棒状部を地面に対して固定するための固定部とを有する
ことを特徴とする太陽光発電パネル取付装置。
【請求項１１】
請求項１から１０のいずれか１項に記載の太陽光発電装置を準備することと、
前記棒状部が前記ビニルハウスの各側方にて前記奥行方向に沿って配置されるように前記固定部を地面に固定することによって、前記固定部材の各々を地面に対して固定することと、
前記ビニルハウスの上部近傍から少なくとも一方の側方へ前記ビニルハウスの上方にて垂れ下がるように、前記係止部材が端部に取り付けられた前記少なくとも１つの連結部材によって前記複数の太陽光発電パネルが連結された太陽光発電パネルセットを配置することと、
前記配置された複数の太陽光発電パネルセットが有する前記１つ又は複数の係止部材を、当該１つ又は複数の係止部材のそれぞれの近くに固定された前記固定部材の前記棒状部に係止させることとを含む
ことを特徴とする太陽光発電装置の設置方法。
【発明の詳細な説明】
【技術分野】
【０００１】
本発明は、太陽光発電装置、太陽光発電パネル取付装置及び太陽光発電装置の設置方法に関する。
【背景技術】
【０００２】
ビニルハウスに太陽光発電パネルを取り付けるための種々の架台、装置などが提案されている。
【０００３】
例えば、特許文献１には、太陽電池パネル装置と、ビニルフィルムと、ビニル孔縁部固定手段とを備えたビニルハウスへの太陽電池パネル装置の設置構造が開示されている。特許文献１に記載の太陽電池パネル装置は、ハウス躯体上に設置された架台と架台に取り付けた太陽電池パネルとを含む。特許文献１に記載のビニルフィルムは、太陽電池パネルに対応する部分を切り欠いたビニルフィルムであって、太陽電池パネル装置の上からハウス躯体を被覆し一部をハウス躯体側に固定されたものである。特許文献１に記載のビニル孔縁部固定手段は、ビニルフィルムの切り欠き孔縁部分を架台に着脱可能に固定する。
【０００４】
特許文献１には、上記のビニルハウスへの太陽電池パネル装置の設置構造によれば、「太陽光を直接太陽電池パネルに当てて効率よく発電できるとともに、ビニルフィルムの交換が必要な際には太陽電池パネル装置を設置した状態のままでビニルフィルムを交換することができ、低労力で簡単に作業を行うことができ、実用性が高い。」と記載されている。
【先行技術文献】
【特許文献】
【０００５】
【特許文献１】特開２０１６−１９８０１５号公報
【発明の概要】
【発明が解決しようとする課題】
【０００６】
しかしながら、特許文献１に記載のビニルハウスへの太陽電池パネル装置の設置構造では、太陽電池パネルを取り付けるために、架台をハウス躯体に設置する必要がある。また、太陽電池パネルに対応する部分を切り欠いたビニルフィルムを作製する必要もある。さらに、そのビニルフィルムの切り欠き孔縁部分を架台に固定する必要もある。
【０００７】
すなわち、太陽電池パネルの数に応じた架台をハウス躯体に設置し、太陽電池パネルの数に応じた切り欠きをビニルフィルムに設け、太陽電池パネルの数に応じた切り欠き孔縁部分を架台に固定する必要がある。そのため、太陽電池パネルを設置する際に、非常に手間が掛かる。
【０００８】
また仮に特許文献１に記載のように、ビニルフィルムの交換が必要な際には太陽電池パネル装置を設置した状態のままでビニルフィルムを交換することができたとしても、太陽電池パネルの数に応じた切り欠き孔縁部分を架台から取外した後に、再び固定する必要がある。そのため、ビニルフィルムを交換する際の手間も大きい。
【０００９】
このように、特許文献１に記載のビニルハウスへの太陽電池パネル装置の設置構造では、太陽電池パネルを設置する際にも、ビニルフィルムの交換する際にも、手間が掛かるという課題がある。本発明は、この課題を解決することを目的とし、太陽電池パネルの設置時及びビニルフィルムの交換時の手間を軽減することが可能な太陽光発電装置などを提供することを目的とする。
【課題を解決するための手段】
【００１０】
上記目的を達成するため、本発明の第１の観点に係る太陽光発電装置は、
ビニルハウスに設置される太陽光発電装置であって、
前記ビニルハウスの各側方にて地面に固定される固定部材の対と、
複数の太陽光発電パネルと、
前記複数の太陽光発電パネルを連結するための一連の部材であって、前記ビニルハウスの上方にて前記ビニルハウスに横架される少なくとも１つの連結部材と、
前記少なくとも１つの連結部材の両端部に設けられており、前記少なくとも１つの連結部材の一方の端部と他方の端部とを、当該一方の端部と当該他方の端部とそれぞれの近くに位置する前記固定部材の一方と他方とに着脱可能に取り付けるための複数の係止部材とを備え、
前記固定部材の各々は、
前記ビニルハウスの側方にて前記奥行方向に沿って配置される棒状の部位であり、前記係止部材が係止される棒状部と、
前記棒状部を地面に対して固定するための複数の固定部とを有する。
【００１１】
本発明の第２の観点に係る太陽光発電装置は、
ビニルハウスに設置される太陽光発電装置であって、
前記ビニルハウスの各側方にて地面に固定される固定部材の対と、
前記ビニルハウスの上部にて前記奥行方向に沿って配置されるガイドレールと、
前記ガイドレールに沿って前記奥行方向に移動する移動部材と、
複数の太陽光発電パネルと、
前記複数の太陽光発電パネルを連結するための一連の部材である少なくとも１つの連結部材と、
前記少なくとも１つの連結部材の一方の端部に設けられており、当該一方の端部を当該一方の端部の近くに位置する前記固定部材の一方に着脱可能に取り付けるための少なくとも１つの係止部材とを備え、
前記固定部材の各々は、
前記ビニルハウスの側方にて前記奥行方向に沿って配置される棒状の部位であり、前記係止部材が係止される棒状部と、
前記棒状部を地面に対して固定するための複数の固定部とを有し、
前記少なくとも１つの連結部材の端部の他方は、前記移動部材に取り付けられている。
【００１２】
本発明の第３の観点に係る太陽光発電パネル取付装置は、
ビニルハウスに複数の太陽光発電パネルを取り付けるための太陽光発電パネル取付装置であって、
前記ビニルハウスの各側方にて地面に固定される固定部材の対と、
前記複数の太陽光発電パネルを連結するための一連の部材である少なくとも１つの連結部材と、
前記少なくとも１つの連結部材の一方又は両方の端部に設けられており、当該一方又は両方の端部を、それぞれの近くに位置する前記固定部材の一方又は両方に着脱可能に取り付けるための係止部材とを備え、
前記固定部材の各々は、
前記ビニルハウスの側方にて前記奥行方向に沿って配置され、前記係止部材が係止される棒状部と、
前記棒状部を地面に対して固定するための固定部とを有する。
【００１３】
本発明の第４の観点に係る太陽光発電装置の設置方法は、
上記の太陽光発電装置を準備することと、
前記棒状部が前記ビニルハウスの各側方にて前記奥行方向に沿って配置されるように前記固定部を地面に固定することによって、前記固定部材の各々を地面に対して固定することと、
前記ビニルハウスの上部近傍から少なくとも一方の側方へ前記ビニルハウスの上方にて垂れ下がるように、前記係止部材が端部に取り付けられた前記少なくとも１つの連結部材によって前記複数の太陽光発電パネルが連結された太陽光発電パネルセットを配置することと、
前記配置された複数の太陽光発電パネルセットが有する前記１つ又は複数の係止部材を、当該１つ又は複数の係止部材のそれぞれの近くに固定された前記固定部材の前記棒状部に係止させることとを含む。
【発明の効果】
【００１４】
本発明によれば、太陽電池パネルの設置時及びビニルフィルムの交換時の手間を軽減することが可能になる。
【図面の簡単な説明】
【００１５】
【図１】本発明の実施の形態１に係る太陽光発電装置の斜視図である。
【図２】実施の形態１に係る太陽光発電装置の正面図である。
【図３】実施の形態１に係る固定部材を示す側面図である。
【図４】実施の形態１に係る太陽光発電パネルセットを示す図である。
【図５】実施の形態１に係る係止部材の拡大図である。
【図６】実施の形態１に係る太陽光発電装置の設置方法に含まれる工程の流れを示す図である。
【図７】変形例１に係る太陽光発電パネルセットを説明するための図である。
【図８】変形例２に係る太陽光発電パネルセットを説明するための図である。
【図９】変形例３に係る太陽光発電装置の斜視図である。
【図１０】変形例３に係るガイドレール及び移動部材の拡大正面図である。
【図１１】変形例３に係る太陽光発電パネルセットを示す図である。
【図１２】本発明の実施の形態２に係る太陽光発電装置の斜視図である。
【図１３】実施の形態２に係る太陽光発電装置の正面図である。
【図１４】実施の形態２に係る太陽光発電パネルセットをビニルハウスから取り外すために持ち上げた状態を示す正面図である。
【図１５】変形例４に係る太陽光発電装置の斜視図である。
【図１６】変形例４に係る太陽光発電装置の正面図である。
【図１７】変形例４に係る太陽光発電パネルセットをビニルハウスから取り外すために持ち上げた状態を示す正面図である。
【発明を実施するための形態】
【００１６】
以下、本発明の実施の形態について、図面を参照しつつ説明する。全図を通じて同一の要素には同一の符号を付す。また、前・後・上・下・左・右といった方向を示す用語は、説明のために用いるのであって、本願発明を限定する趣旨で用いるものではない。
【００１７】
（実施の形態１）
本発明の実施の形態１に係る太陽光発電装置１００は、斜視図である図１、正面図である図２に示すように、太陽光を受けて発電する装置であって、ビニルハウス１０１に設置される。ビニルハウス１０１は、躯体にビニルフィルムを覆い被せて固定したものであり、図１，２に示すように、前方の妻面に出入り口Ｐが設けられている。
【００１８】
太陽光発電装置１００の発電電力は、適宜設置されるパワーコンディショナなど（図示せず）を通じて、図示しない負荷、蓄電池、送電線などに供給される。
【００１９】
ここでの負荷は、典型的には、ビニルハウス１０１の中の気温を調節するためのヒータなど、ビニルハウス１０１を稼働させるために設置される電気機器である。なお、負荷は、これに限られず、ビニルハウス１０１の稼働とは無関係に設置される電気機器であってもよい。
【００２０】
太陽光発電装置１００は、固定部材１０２の対と、複数の太陽光発電パネルセット１０３とを備える。なお、太陽光発電パネルセット１０３は１つだけ備えられてもよい。
【００２１】
固定部材１０２の対は、ビニルハウス１０１の各側方にて地面に固定される。すなわち、本実施の形態では、対をなす固定部材１０２の一方は、ビニルハウス１０１の左方にて地面に固定され、固定部材１０２の他方は、ビニルハウス１０１の右方にて地面に固定される。
【００２２】
詳細には、対をなす固定部材１０２の各々は、図３に示すように、棒状部１０４と、複数の固定部１０５とを有する。
【００２３】
棒状部１０４は、ビニルハウス１０１の側方にて前後方向に沿って配置される棒状の部位である。なお、本実施の形態の前後方向は、ビニルハウス１０１の奥行方向に相当する。
【００２４】
複数の固定部１０５は、棒状部１０４を地面に対して固定するための部位である。本実施の形態に係る複数の固定部１０５の各々は、棒状部１０４から一方向へ突き出しており、断面が略円形の棒が途中から先細りになった杭状をなしている。本実施の形態にて、複数の固定部１０５が突き出す方向は下方である。
【００２５】
複数の固定部１０５のうちの２つは、棒状部１０４の両端の各々又は両端の各々の近傍（すなわち、棒状部１０４の両端の各々から予め定められた距離離れた位置）に設けられている。残りの固定部１０５は、棒状部１０４の両端又は両端近傍に設けられた固定部１０５の間に予め定められた間隔で設けられている。
【００２６】
複数の固定部１０５の先端から予め定められた部分が地中に埋められ、これによって、固定部材１０２（すなわち、棒状部１０４及び複数の固定部１０５）が地面Ｇに対して固定される。
【００２７】
なお、固定部１０５には、先端から予め定められた長さに対応する部分に、地面から抜け難くするための螺旋状の溝が設けられるとよい。また、棒状部１０４の両端の各々の近傍に設けられる２つの固定部１０５を除く、残りの固定部１０５は、設けられなくてもよい。
【００２８】
本実施の形態に係る太陽光発電パネルセット１０３の各々は、図４に示すように、８つの太陽光発電パネル１０６と、２つの連結部材１０７と、４つの係止部材１０８とから構成される。
【００２９】
８つの太陽光発電パネル１０６の各々は、表面で太陽光を受けて発電するパネルであり、隣接する太陽光発電パネル１０６は、例えば連結部材１０７の一方に沿って配置される電気配線（図示せず）で互いに接続されている。
【００３０】
また、太陽光発電パネルセット１０３を構成する太陽光発電パネル１０６の１つは、隣接して配置される太陽光発電パネルセット１０３を構成する太陽光発電パネル１０６の１つと電気配線１０９により相互に接続されている。なお、太陽光発電パネルセット１０３を構成する太陽光発電パネル１０６の２つ以上が、隣接して配置される太陽光発電パネルセット１０３を構成する太陽光発電パネル１０６のうちの２つ以上と電気配線１０９により接続されていてもよい。
【００３１】
太陽光発電パネル１０６は、一般的に、太陽電池、太陽光パネル、太陽光発電モジュール、太陽光モジュールなどとも称される。なお、１つの太陽光発電パネルセット１０３に備えられる太陽光発電パネル１０６の数は、８つに限られず、２つ以上であれば幾つであってもよい。
【００３２】
太陽光発電パネル１０６の各々には、いわゆるフレキシブル太陽光パネルが好適に採用される。フレキシブル太陽光パネルは、ガラス板ではなく樹脂シートが表面に設けており、周囲が金属製（例えばアルミニウム製）、樹脂製の可撓性を有するフレームで囲まれた太陽光発電パネルである。フレキシブル太陽光パネルは、可撓性を有し、ガラス板が表面に設けられたガラスパネルなどよりも軽量である。なお、太陽光発電パネル１０６は、結晶系ガラスパネルであってもよい。
【００３３】
太陽光発電パネル１０６の各々のサイズは、適宜決められてよいが、例えば、縦が約３００〜１０００ｍｍ、横が約２０００ｍｍ、厚さが約３〜５ｍｍである。太陽光発電パネル１０１の各々の重さは、サイズによって異なるが、概ね２〜６ｋｇである。
【００３４】
２つの連結部材１０７は、８つの太陽光発電パネル１０６を一方向に並べて連結するための部材である。本実施の形態に係る連結部材１０７の各々は、可撓性を有する線状の部材である。連結部材１０７は、金属、樹脂など、適宜の材料によって作られてよいが、ビニルハウス１０１のビニルフィルムとの摩擦が低い材料が望ましい。そのため、連結部材１０７は、表面が滑らかな樹脂で作られることが望ましい。
【００３５】
本実施の形態では、２つの連結部材１０７は、互いに平行に延びて配置されており、それぞれが、８つの太陽光発電パネル１０６の左端部近傍と右端部近傍とに固定されている。
【００３６】
左端部近傍とは、左端部から予め定められた距離離れた位置を意味する。同様に、右端部近傍とは、右端部から予め定められた距離離れた位置を意味する。
【００３７】
連結部材１０７と太陽光発電パネル１０６とを固定する方法には、適宜の方法が採用されてよい。例えば、連結部材１０７と太陽光発電パネル１０６とを固定する方法は、接着剤による接着であってもよく、太陽光発電パネル１０６のフレームに設けられたカシメ構造による連結部材１０７の挟持であってもよく、別に設けられた挟持部材の挟持であってもよい。
【００３８】
すなわち、２つの連結部材１０７の各々は、図４に示すように、８つの太陽光発電パネル１０６が予め定められた一方向に並ぶように取り付けられる一連の部材である。そして、２つの連結部材１０７の各々は、図１及び２に示すように、ビニルハウス１０１の上方にて、湾曲した状態でビニルハウス１０１の概ね全幅にわたって左右方向に架け渡される（すなわち、横架される）。ここで、ビニルハウス１０１の全幅とは、ビニルハウス１０１の左右方向の全体をいう。
【００３９】
４つの係止部材１０８は、図１，２及び４に示すように、２つの連結部材１０７の各端部に設けられており、２つの連結部材１０７の各端部を固定部材１０２の各々に着脱可能に取り付けるための部材である。係止部材１０８の各々は、棒状部１０４に係止されることによって、固定部材１０２に取り付けられる。
【００４０】
すなわち、本実施の形態に係る係止部材１０８は、連結部材１０７の両端部に設けられる。そして、係止部材１０８は、図１及び２に示すように、連結部材１０７の左方の端部と右方の端部とを、それぞれの近くに位置する左方と右方の固定部材１０２に着脱可能に取り付ける。
【００４１】
左方の端部は、正面から見たビニルハウス１０１の左方に位置付けられる連結部材１０７の端部であり、一方の端部の一例である。右方の端部は、正面から見たビニルハウス１０１の右方に位置付けられる連結部材１０７の端部であり、他方の端部の一例である。
【００４２】
本実施の形態に係る係止部材１０８は、図５に拡大して示すように、互いに回転可能に構成される軸１１０で接続されており、その軸１１０で互いに交差する第１係止片１１１及び第２係止片１１２を含む。
【００４３】
第１係止片１１１と第２係止片１１２とは、それぞれ、棒状部１０４を内部に収容可能な環を左右対称に分割した第１係止部１１３＿１と第２係止部１１４＿１とを含む。第１係止部１１３＿１と第２係止部１１４＿１との各々の上方が軸１１０で接続されている。
【００４４】
また、第１係止片１１１と第２係止片１１２とは、それぞれ、軸１１０よりも上方へ延びる第１操作部１１３＿２と第２操作部１１４＿２とを含む。第１操作部１１３＿２と第２操作部１１４＿２とは、バネ１１５により互いに離間する方向へ力を付与されている。これによって、外部から力を与えられなければ、第１係止部１１３＿１と第２係止部１１４＿１との下端は互いに接触する。
【００４５】
ユーザがバネ１１５の力に抗して第１操作部１１３＿２と第２操作部１１４＿２とを互いに近付けるように操作することによって、第１係止部１１３＿１の下端と第２係止部１１４＿１の下端とを離間させることができる。すなわち、この操作によって、第１係止部１１３＿１の下端と第２係止部１１４＿１の下端との間にすき間が生じる。第１係止部１１３＿１の下端と第２係止部１１４＿１の下端との間を棒状部１０４を通過させることによって、係止部材１０８を棒状部１０４に取り付け、或いは、棒状部１０４から取り外すことができる。第１操作部１１３＿２と第２操作部１１４＿２との各々の上端近傍に設けられた孔（図示せず）に連結部材１０７をチェーン、紐、ワイヤなどで結び付けることによって、係止部材１０８が連結部材１０７の端部に取り付けられる。
【００４６】
なお、係止部材１０８を連結部材１０７の端部に取り付ける方法は、適宜変更されてもよい。また、係止部材１０８は、上述の構成に限られず、連結部材１０７を棒状部１０４に着脱可能に取り付けることができるものであればよい。係止部材は、例えば、連結部材１０７の端部近傍に固定されたホックであってもよい。この場合、例えば、連結部材１０７の一部を棒状部１０４に巻き付けて、その両端をホックで固定することによって、連結部材１０７を棒状部１０４に着脱可能に取り付けることができる。
【００４７】
また、連結部材１０７は、少なくとも１つ備えられればよい。すなわち、連結部材１０７は、１つであってもよく、互いに平行に３つ以上設けられてよい。例えば連結部材１０７が１つの場合、係止部材１０８は、連結部材１０７の両端部に１つずつ設けられるので、合計２つ備えられる。そして、連結部材１０７の一端に設けられた係止部材１０８は、対をなす固定部材１０２の一方が有する棒状部１０４に係止される。また、連結部材１０７の他端に設けられた係止部材１０８は、対をなす固定部材１０２の他方が有する棒状部１０４に係止される。
【００４８】
さらに、連結部材１０７が複数備えられる場合、複数の連結部材１０７は、互いに平行である必要はない。例えば、複数の連結部材１０７は、互いに交差するように配置されてもよい。複数の連結部材１０７の一部のみが並行に配置されてもよい。
【００４９】
これまで、本発明の実施の形態１に係る太陽光発電装置１００の構成について説明した。ここから、本実施の形態に係る太陽光発電装置１００の設置方法について説明する。
【００５０】
図６に示すように、太陽光発電装置１００、すなわち、固定部材１０２の対と、複数の太陽光発電パネルセット１０３とを準備する（工程１）。本実施の形態に係る太陽光発電パネルセット１０３は、係止部材１０８が各端部に取り付けられた２つの連結部材１０７によって、８つの太陽光発電パネル１０６が連結されたものである。
【００５１】
ビニルハウス１０１の各側方にて、対をなす固定部材１０２の各々を地面Ｇに対して固定する（工程２）。
【００５２】
詳細には、棒状部１０４がビニルハウス１０１の左方と右方との各側方にて前後方向に沿って配置されるように固定部１０５の予め定められた部分を地面に埋めて固定する。これによって、ビニルハウス１０１の各側方に固定部材１０２の各々が地面Ｇに対して固定される。
【００５３】
ビニルハウス１０１の上方にて８つの太陽光発電パネル１０６が左右方向に架け渡されるように（図１〜２参照）、太陽光発電パネルセット１０３を配置する（工程３）。本実施の形態の左右方向は、ビニルハウス１０１の間口方向に相当する。このとき、２つの連結部材１０７は、可撓性を有するので、ビニルハウス１０１の外面における左右方向の湾曲に概ね沿うように湾曲する。これにより、太陽光発電パネルセット１０３は、ビニルハウス１０１の上部近傍から左右の各側方へビニルハウス１０１の上方にて垂れ下がるように配置される。
【００５４】
工程３にて配置された太陽光発電パネルセット１０３が有する４つの係止部材１０８の各々を、工程１にて地面Ｇに対して固定された固定部材１０２の棒状部１０４のうち、係止部材１０８の各々の近くに位置する棒状部１０４に係止させる（工程４）。
【００５５】
詳細には、配置された太陽光発電パネルセット１０３が有する４つの係止部材１０８のうち、ビニルハウス１０１の左方に位置するものは、工程１にてビニルハウス１０１の左方に固定された固定部材１０２の棒状部１０４に係止される。また、４つの係止部材１０８のうち、ビニルハウス１０１の右方に位置するものは、工程１にてビニルハウス１０１の右方に固定された固定部材１０２の棒状部１０４に係止される。これにより、太陽光発電パネルセット１０３は、ビニルハウス１０１の上方にて左右方向に架け渡した状態で（すなわち、ビニルハウス１０１の上方にて横架した状態で）ビニルハウス１０１に取り付けられる。
【００５６】
工程１にて準備した太陽光発電装置１００に含まれる太陽光発電パネルセット１０３のすべてを取り付けたか否かを判断する（工程５）。太陽光発電パネルセット１０３のすべてを取り付けていない、すなわち、未だ取り付けられていない太陽光発電パネルセット１０３が残っている場合には（工程５；ＮＯ）、上述の工程３〜４を繰り返す。
【００５７】
太陽光発電パネルセット１０３のすべてを取り付けた場合には（工程５；ＹＥＳ）、隣接する太陽光発電パネル１０６を順次、電気配線１０９で接続する（工程６）。
【００５８】
本実施の形態では、工程３〜５にて取り付けられた複数の太陽光発電パネルセット１０３のうち、隣接する太陽光発電パネルセット１０３に含まれる太陽光発電パネル１０６の１つずつが電気配線１０９で接続される。太陽光発電パネルセット１０３に含まれる８つの太陽光発電パネル１０６のうちのいずれを電気配線１０９で接続するかは、適宜決定されてよい。
【００５９】
これにより、太陽光発電装置１００の設置は完了する。
【００６０】
本実施の形態では、固定部材１０２の対を地面Ｇに対して固定し、太陽光発電パネルセット１０３の各々を配置して、その係止部材１０８を棒状部１０４に係止させ、電気配線１０９を接続するだけで、太陽光発電装置１００を設置することができる。
【００６１】
すなわち、太陽光発電パネル１０６を設置するために、固定部材１０２の対を固定することを除いて、ビニルハウスの躯体に特別な器具を取り付ける必要がない。また、太陽光発電パネル１０６を設置するために、ビニルフィルムに切欠きを設けるなどの加工を施す必要もない。
【００６２】
このように、ビニルハウス１０１に太陽光発電パネル１０６を設置する時の手間を大幅に軽減することが可能になる。
【００６３】
また、係止部材１０８の各々は、棒状部１０４に着脱可能に構成される。そのため、ビニルハウス１０１のビニルフィルムを交換する時には、例えば、すべての太陽光発電パネルセット１０３の一方（例えば、右方）の係止部材１０８のすべてを棒状部１０４から取り外すとよい。これにより、すべての太陽光発電パネルセット１０３を、他方（例えば、左方）へ移動させてビニルハウス１０１の上から取り除くことができ、この状態でビニルフィルムを交換することができる。ビニルフィルムを交換した後は、ビニルハウス１０１の上方にて太陽光発電パネル１０６が左右方向に架け渡されるように太陽光発電パネルセット１０３を再び配置し、取り外した一方の係止部材１０８を棒状部１０４に再び取り付けることで、ビニルフィルムの交換に関する作業が完了する。
【００６４】
このように、本実施の形態によれば、複数の太陽光発電パネル１０６を太陽光発電パネルセット１０３として、まとめて取り扱うことができる。また、太陽光発電パネルセット１０３の各々を棒状部１０４へ容易に着脱することができる。さらに、ビニルフィルムを交換するために、すべての係止部材１０８を着脱する必要はなく、一方（例えば、右方）の係止部材１０８を着脱するだけでよい。
【００６５】
このように、ビニルハウス１０１のビニルフィルムを交換する時の手間を大幅に軽減することが可能になる。
【００６６】
さらに、係止部材１０８は棒状部１０４に取り付けられているので、太陽光発電パネルセット１０３の各々は、少なくとも固定部１０５の間で、前後方向に移動することができる。そのため、例えば固定部１０５の各々の間の太陽光発電パネルセット１０３を、固定部１０５の各々の間で前方又は後方のいずれか一方にまとめるように移動させた状態で、ビニルフィルムが交換されてもよい。これによれば、係止部材１０８を棒状部１０４に着脱して、太陽光発電パネルセット１０３を左右に移動させる必要がないので、ビニルフィルムを交換する時の手間を、より一層軽減することが可能になる。
【００６７】
従って、本実施の形態によれば、太陽電池パネル１０６の設置時及びビニルフィルムの交換時の手間を軽減することが可能になる。
【００６８】
本発明の実施の形態１について説明したが、本実施の形態は、次のように変形されてもよい。
【００６９】
（変形例１）
本変形例では、実施の形態１に係る太陽光発電パネルセット１０３に代えて、図７に示す太陽光発電パネルセット２０３が備えられる。実施の形態１に係る太陽光発電パネルセット１０３では、２つの連結部材１０７に太陽光発電パネル１０６の各々が固定される例を説明した。本変形例では、２つの連結部材１０７を接続する接続部材２１６がさらに設けられ、この接続部材２１６に８つの太陽光発電パネル１０６が固定される。
【００７０】
太陽光発電パネルセット２０３は、実施の形態１と概ね同様の８つの太陽光発電パネル１０６、２つの連結部材１０７及び４つの係止部材１０８を有し、これに加えて、本変形例に特徴的な１６個の接続部材２１６を有する。
【００７１】
ここで、図７では、太陽光発電パネルセット２０３のうち、太陽光発電パネル１０６を点線で示し、その他の部材１０７，１０８，２１６を実線で示している。そして、実線で示した部材１０７，１０８，２１６と固定部材１０２とを組み合わせたもの、言い換えると、本変形例に係る太陽光発電装置から太陽光発電パネル１０６を除いたものが、太陽光発電パネル取付装置に相当する。
【００７２】
本変形例では、１６個の接続部材２１６の各々は、帯状をなす部材であって、樹脂、金属などを材料として作られている。接続部材２１６の各々は、可撓性を有していてもよく、可撓性を有していなくてもよい。
【００７３】
１６個の接続部材２１６は、各々が２つの連結部材１０７と直交するように、上下方向に並べて設けられている。そして、すべての接続部材２１６は、２つの連結部材１０７に固定されている。詳細には、接続部材２１６の各々の左端近傍と右端近傍とのそれぞれが、左方に配置された連結部材１０７と右方に配置された連結部材１０７とに固定されている。接続部材２１６と連結部材１０７とを固定する方法は、実施の形態１において、太陽光発電パネル１０６のフレームと連結部材１０７とを固定する方法と同様の方法が採用されてよい。これにより、接続部材２１６の各々は、２つの連結部材１０７を接続している。
【００７４】
１６個の接続部材２１６は、上から順に上下方向に隣接する２つの接続部材２１６を１組として、各組の接続部材２１６に太陽光発電パネル１０６が固定されている。詳細には、各組の接続部材２１６について、上方の接続部材２１６が太陽光発電パネル１０６の上辺に沿って固定され、下方の接続部材２１６が太陽光発電パネル１０６の下辺に沿って固定されている。これにより、１６個の接続部材２１６に８つの太陽光発電パネル１０６が固定されている。
【００７５】
接続部材２１６と太陽光発電パネル１０６とを固定する方法には、適宜の方法が採用されてよい。例えば、接続部材２１６と太陽光発電パネル１０６とを固定する方法は、接着剤による接着であってもよく、太陽光発電パネル１０６のフレームに設けられたカシメ構造による接続部材２１６の挟持であってもよく、別に設けられた挟持部材の挟持であってもよく、磁力による吸着であってもよい。磁力が利用される場合、接続部材２１６と太陽光発電パネル１０６のフレームとのいずれか一方に磁石が設けられ、他方は強磁性の材料で作られるとよい。
【００７６】
本変形例では図７を参照し、帯状の接続部材２１６の各々が２つの連結部材１０７に直交して設けられて連結部材１０７の各々に固定され、２つの接続部材２１６の組みごとに１つの太陽光発電パネル１０６が固定される例により説明した。
【００７７】
しかし、例えば、接続部材２１６の各々は、線状であってもよい。ここで、線状と帯状との違いは太さにある。例えば、長さ方向に垂直な断面の形状が円形又は円形に内接する正多角形である部材は、線状である。また例えば、長さ方向に垂直な断面の形状が楕円形又は楕円形に内接する多角形である部材は、帯状である。太陽光発電パネル１０６が接続部材２１６固定される場合、接続部材２１６の各々が帯状であれば、太陽光発電パネル１０６をより安定して接続部材２１６に固定できる。
【００７８】
また、接続部材２１６の各々は、長手方向が２つの連結部材１０７の各々と交差する方向を向くように配置されればよい。そして、連結部材１０７が３つ以上設けられる場合、接続部材２１６は、複数の連結部材１０７のうち、少なくとも２つの連結部材、例えば隣接する２つの連結部材に固定されていればよい。
【００７９】
さらに、接続部材２１６が設けられる数は、適宜変更されてもよく、例えば接続部材は、１つの太陽光発電パネル１０６が１つ又は３つ以上の接続部材に対応付けられるように設けられてもよい。
【００８０】
（変形例２）
本変形例では、実施の形態１に係る太陽光発電パネルセット１０３に代えて、図８に示す太陽光発電パネルセット３０３が備えられる。実施の形態１に係る太陽光発電パネルセット１０３では、線状の２つの連結部材１０７に太陽光発電パネル１０６の各々が固定される例を説明した。本変形例に係る太陽光発電パネルセット３０３は、帯状の２つの連結部材３０７を備え、連結部材３０７に８つの太陽光発電パネル１０６が固定される。さらに、２つの連結部材３０７を接続する線状の接続部材３１６がさらに設けられる。
【００８１】
ここで、図８では、太陽光発電パネルセット３０３のうち、太陽光発電パネル１０６を点線で示し、その他の部材１０７，３０８，３１６を実線で示している。そして、実線で示した部材１０７，３０８，３１６と固定部材１０２とを組み合わせたもの、言い換えると、本変形例に係る太陽光発電装置から太陽光発電パネル１０６を除いたものが、太陽光発電パネル取付装置に相当する。
【００８２】
連結部材３０７と太陽光発電パネル１０６とを固定する方法には、変形例１での接続部材３１６と太陽光発電パネル１０６とを固定する方法と同様のものが採用されてよい。
【００８３】
本変形例では、太陽光発電パネル１０６を固定する連結部材３０７が帯状であるので、より安定して太陽光発電パネル１０６を連結部材３０７に固定することができる。
【００８４】
また、例えば接着による場合、線状の部材よりも帯状の部材の方が、接着剤を塗布する面積が広くなるので、固定が容易になる。また、連結部材３０７が帯状であれば、これに太陽光発電パネル１０６を固定するために、磁力による吸着などを利用することができる。このように、帯状の連結部材３０７を採用することで、太陽光発電パネル取付装置に太陽光発電パネル１０６を、より容易に固定することができる。また、連結部材３０７が接続部材３１６によって接続されているので、その向きと間隔の設定が容易になり、太陽光発電パネル取付装置に太陽光発電パネル１０６を、より容易に固定することができる。
【００８５】
これにより、例えばユーザが、ビニルハウス１０１で栽培する作物に応じた太陽光発電装置を設置することが可能になる。
【００８６】
例えば、ユーザが、天候に応じて太陽光発電パネル１０６の枚数を調整することで、作物の栽培への影響を低減することが可能になる。
【００８７】
また、一般的に栽培する作物によって必要な日射量が異なることがある。本変形例によれば、例えばビニルハウス１０１で栽培する作物に必要な日射量に応じて、ユーザが太陽光発電パネル取付装置に取り付ける太陽光発電パネル１０６の枚数を調整し、太陽光発電パネル１０６の間隔を変えることができる。これにより、種々の作物の栽培を可能としつつ、より多くの発電電力の獲得を図ることが可能になる。
【００８８】
さらに例えば、１つのビニルハウス１０１で必要な日射量が異なる複数種類の作物を栽培する場合、ビニルハウス１０１内の領域ごとに日射量を変えることが望ましい。本変形例によれば、ユーザは、太陽光発電パネルセット３０３の各々に取り付ける太陽光発電パネル１０６の枚数を変えることが容易にできるだけではなく、太陽光発電パネルセット３０３の各々で、隣接する太陽光発電パネル１０６ごとに間隔を調整することも容易にできる。これにより、ビニルハウス１０１内の領域ごとに日射量を容易に調整することができる。そのため、ビニルハウス１０１で多品種の作物の栽培を可能としつつ、より多くの発電電力の獲得を図ることが可能になる。
【００８９】
なお、本変形例では、太陽光発電パネル１０６が連結部材３０７に固定される例を説明したが、太陽光発電パネル１０６が、連結部材３０７と、変形例１と同様の接続部材２１６とに固定されてもよい。これによれば、太陽光発電パネル１０６を、適宜の箇所により安定して固定することができる。従って、例えばユーザが、ビニルハウス１０１で栽培する作物に応じた太陽光発電装置を設置することが可能になるなど、本変形例と同様の効果を奏する。
【００９０】
（変形例３）
実施の形態１では、係止部材１０８が連結部材１０７の各々の両端部に設けられ、連結部材１０７の端部の左方と右方とが、それぞれ、係止部材１０８により右方と左方との固定部材１０２に着脱可能に取り付けられる例を説明した。本変形例では、連結部材１０７の一端は、実施の形態１と同様に係止部材１０８が着脱可能に取り付けられ、連結部材１０７の他端は、ガイドレールに沿って前後方向に移動する移動部材に取り付けられる例を説明する。
【００９１】
本変形例に係る太陽光発電装置４００は、斜視図である図９に示すように、実施の形態１と同様にビニルハウス１０１に設置される。太陽光発電装置４００は、実施の形態１と同様の固定部材１０２の対と、実施の形態１とは異なる複数の太陽光発電パネルセット４０３とに加えて、ガイドレール４１７と、移動部材４１８とを備える。
【００９２】
ガイドレール４１７は、図９に示すように、ビニルハウスの上部にて前後方向に沿って配置される部材である。ガイドレール４１７は、ビニルハウス１０１のビニル上に載置されればよい。また、ガイドレール４１７は、ビニルハウス１０１のビニルを保護するために、保護シートを挟んでビニルハウス１０１のビニル上に載置されてもよい。
【００９３】
本変形例に係るガイドレール４１７は、前方から見た場合に、図１０に示すように、山部４１９と、延在部４２０とを有する。山部４１９は、左右方向の中央に向けて左右から次第に高くなる形状（山型）をなす。延在部４２０は、山部４１９の左右の各端部から左方向及び右方向のそれぞれへ延びる。山部４１９と延在部４２０とはいずれも、前後方向には平らである。ガイドレール４１７は、典型的には金属製で、一枚の金属板を曲げて製造されるが、樹脂などで作られてもよい。
【００９４】
移動部材４１８は、ガイドレール４１７の上に載置される部材であって、前方から見た場合に、図１０に示すように、屋根部４２１と、キャスター部４２２とを備える。屋根部４２１は、山型をなす部分である。キャスター部４２２は、屋根部４２１の下方に左右対称に固定されている。左右のキャスター部４２２は、山部４１９を挟むように配置された場合に、延在部４２０の上面と概ね平行な軸を中心に回転できるようにローラを支持している。キャスター部４２２は、前後方向にも複数設けられる。このようなキャスター部４２２を有することで、移動部材４１８は、ガイドレール４１７の上を、ガイドレール４１７に沿って前後方向に円滑に移動することができる。
【００９５】
本変形に係る太陽光発電パネルセット４０３の各々は、図１１に示すように、４つの太陽光発電パネル１０６と、２つの連結部材１０７と、２つの係止部材１０８とから構成される。
【００９６】
同図を見ると分かるように、太陽光発電パネルセット４０３では、実施の形態１に係る太陽光発電パネルセット１０３とは異なり、２つの連結部材１０７の各々の一端（図１１では下端）に係止部材１０８が取り付けられている。これにより、連結部材１０７の各々の端部の一方は、係止部材１０８により固定部材１０２に着脱可能に取り付けられる。
【００９７】
また、太陽光発電パネルセット４０３では、２つの連結部材１０７の各々の他端（図１１では上端）が移動部材４１８に取り付けられている。
【００９８】
詳細には例えば、図１１において点線で示すように、移動部材４１８の屋根部４２１には複数の貫通孔が設けられている。連結部材１０７の各々の他端は、屋根部４２１の貫通孔に締結されることによって、屋根部４２１に取り付けられている。なお、連結部材１０７の他端を移動部材４１８に取り付ける方法は、これに限られず、接着剤や適宜の器具などが利用されてもよい。
【００９９】
このような太陽光発電装置４００では、ビニルハウス１０１に設置する際、実施の形態１と同様の工程１及び２（図６参照）が実行された後に、ガイドレール４１７と、移動部材４１８とが、ビニルハウス１０１の上部（最も高い箇所）に順に設置される。そして、工程３にて、連結部材１０７の他端を移動部材４１８に取り付けることによって、太陽光発電パネルセット４０３は、ビニルハウス１０１の上部近傍から側方のいずれか（すなわち、左方または右方）へ、ビニルハウス１０１の上方にて垂れ下がるように、配置されることになる。
【０１００】
１つの移動部材４１８には、図９及び１１に示すように、左右それぞれに２つの連結部材１０７を取り付けることができる。これにより、同一の移動部材４１８に取り付けられた２つの太陽光発電パネルセット４０３は、図９に示すように、移動部材４１８から左右それぞれへ互いには離れる方向へ垂れさがるように配置されることになる。
【０１０１】
その他は、実施の形態１と概ね同様の方法で、太陽光発電装置４００をビニルハウス１０１に設置することができる。
【０１０２】
本変形例において、実施の形態１に追加される構成であるガイドレール４１７及び移動部材４１８は、ビニルハウス１０１に載置されればよく、せいぜいガイドレール４１７が適宜の方法で固定されればよい。すなわち、太陽光発電パネル１０６の１つ１つに対応して特別な器具をビニルハウスの躯体に取り付ける必要がない。また、太陽光発電パネル１０６を設置するために、ビニルフィルムに加工をする必要もない。そのため、実施の形態１と同様に、ビニルハウス１０１に太陽光発電パネル１０６を設置する時の手間を大幅に軽減することが可能になる。
【０１０３】
また、ビニルハウス１０１のビニルフィルムを交換する時には、係止部材１０８の各々を取り付けたまま、或いは適宜取り外して、移動部材４１８を移動させることによって、太陽光発電パネルセット４０３を前方又は後方に、容易にまとめることができる。そのため、ビニルハウス１０１のビニルフィルムを交換する時の手間を大幅に軽減することが可能になる。
【０１０４】
従って、本変形例によっても、太陽電池パネル１０６の設置時及びビニルフィルムの交換時の手間を軽減することが可能になる。
【０１０５】
（実施の形態２）
実施の形態１では、太陽光発電装置１００が設置されたビニルハウス１０１のビニルフィルムの交換作業の例で説明したように、太陽光発電パネルセット１０３の一方（例えば、右方）の係止部材１０８を棒状部１０４から取り外すと、太陽光発電パネルセット１０３を、他方（例えば、左方）へ移動させてビニルハウス１０１の上から取り除くことができる例を説明した。
【０１０６】
すなわち、実施の形態１に係る連結部材１０７は、太陽光発電パネルセット１０３を一方（例えば、右方）から他方へ（例えば、左方）へ畳むことができる程度の可撓性（柔軟性）を有することを意味する。
【０１０７】
本実施の形態では、連結部材が可撓性を有するとしても、実施の形態１に係る連結部材１０７よりも硬く、複数の太陽光パネル１０６を連結した状態で上方へ突き出した湾曲形状を維持できる程度の硬さを有する例を説明する。
【０１０８】
本発明の実施の形態２に係る太陽光発電装置５００は、斜視図である図１２、正面図である図１３に示すように、実施の形態１に係る太陽光発電装置１００と同様に、ビニルハウス１０１に設置される。
【０１０９】
太陽光発電装置５００と実施の形態１に係る太陽光発電装置１００との違いは、太陽光発電装置５００，１００を構成する太陽光発電パネルセット５０３，１０３の連結部材５０７，１０７にある。この点を除いて、太陽光発電装置５００は、実施の形態１に係る太陽光発電装置１００と概ね同様に構成される。
【０１１０】
本実施の形態では主に、説明を簡明にするため、実施の形態１に係る太陽光発電装置１００と異なる点を説明する。
【０１１１】
太陽光発電装置５００は、実施の形態１と同様の固定部材１０２の対と、実施の形態１とは異なる複数の太陽光発電パネルセット５０３とを備える。本実施の形態に係る太陽光発電パネルセット５０３の各々は、実施の形態１と同様の８つの太陽光発電パネル１０６及び４つの係止部材１０８と、実施の形態１とは異なる２つの連結部材５０７とから構成される。
【０１１２】
２つの連結部材５０７は、８つの太陽光発電パネル１０６を並べて連結するための部材である。連結部材５０７の各々は、図１及び２に示すように、ビニルハウス１０１の上方にてビニルハウス１０１の概ね全幅にわたって横架される。そのため、連結部材５０７の各々は、ビニルハウス１０１の外面の左右方向に概ね沿うように、上方へ突き出た形状をしている。
【０１１３】
本実施の形態に係る２つの連結部材５０７は、ビニルハウス１０１の上方から取り外した場合であっても複数の太陽光パネル１０６を連結した状態で上方へ突き出した湾曲形状を維持できる程度の硬さを有する。
【０１１４】
本実施の形態に係る２つの連結部材５０７は、この程度の硬さを有していれば、ビニルハウス１０１の上方から取り外した場合に、ビニルハウス１０１による支持がなくなることで、湾曲の曲率が変化する程度の可撓性を有していてもよい。また、２つの連結部材５０７は、ビニルハウス１０１の上方から取り外した場合に、ビニルハウス１０１による支持がある場合とほぼ湾曲の曲率が変化しないような可撓性を有しないものであってもよい。
【０１１５】
このような連結部材５０７の各々は、例えば、断面が矩形、円形、楕円などの中空の管状又は中実の（内部が詰まった）棒状の部材である。連結部材５０７の各々は、金属（例えば、アルミニウム、ステンレス、鉄）、樹脂など、適宜の材料によって作られてよいが、ビニルハウス１０１のビニルフィルムとの摩擦が低い材料が望ましいことは実施の形態１と同様である。
【０１１６】
２つの連結部材５０７は、互いに平行に延びて配置されており、それぞれが、８つの太陽光発電パネル１０６の左端部近傍と右端部近傍とに固定されている。この点は、実施の形態１に係る連結部材１０７と同様である。
【０１１７】
本実施の形態に係る連結部材５０７と太陽光発電パネル１０６とは、例えば各々に対応付けて設けられた孔に挿通されたボルトとナットとの締結で固定される。なお、連結部材５０７と太陽光発電パネル１０６とは、これに限られず、接着剤による接着など適宜の方法で固定されてもよい。
【０１１８】
すなわち、２つの連結部材５０７の各々は、図１及び２に示すように、上方に突き出した湾曲形状をなす一連の部材であって、８つの太陽光発電パネル１０６が予め定められた方向に並べて取り付けられる。そして、２つの連結部材１０７の各々は、ビニルハウス１０１の上方にて、湾曲した状態でビニルハウス１０１に横架される。
【０１１９】
ここで、連結部材５０７の各々は、複数の管状又は棒状の部材を嵌合、溶接などで接続することによって、一連に形成されていてもよい。
【０１２０】
２つの連結部材５０７の各々の各端部には、実施の形態１と同様の係止部材１０８が取り付けられている。
【０１２１】
なお、連結部材５０７は、実施の形態１に係る連結部材１０７と同様に、１つであってもよく、互いに平行に３つ以上設けられてもよい。また、連結部材５０７が複数備えられる場合、複数の連結部材１０７が互いに平行である必要はない。この点も、実施の形態１に係る連結部材１０７と同様である。
【０１２２】
これまで、本発明の実施の形態２に係る太陽光発電装置５００の構成について説明した。本実施の形態に係る太陽光発電装置５００は、図６を参照して説明した実施の形態１に係る太陽光発電装置１００と同様の方法でビニルハウス１０１に設置することができる。
【０１２３】
本実施の形態では、実施の形態１と同様に、固定部材１０２の対を地面Ｇに対して固定し、太陽光発電パネルセット５０３の各々を配置して、その係止部材１０８を棒状部１０４に係止させ、電気配線１０９を接続するだけで、太陽光発電装置５００を設置することができる。そのため、実施の形態１と同様に、ビニルハウス１０１に太陽光発電パネル１０６を設置する時の手間を大幅に軽減することが可能になる。
【０１２４】
また、係止部材１０８の各々は、棒状部１０４に着脱可能に構成される。そのため、ビニルハウス１０１のビニルフィルムを交換する時には、例えば、すべての太陽光発電パネルセット５０３の係止部材１０８のすべてを棒状部１０４から取り外すとよい。これにより、例えば図１４に示すように、作業員が、ビニルハウス１０１の左右の各々で連結部材５０７の下端部近傍Ｈ１，Ｈ２を保持して、太陽光発電パネルセット５０３を持ち上げることができる。
【０１２５】
そして、図１４に示すように太陽光発電パネルセット５０３を上方へ持ち上げた状態で、太陽光発電パネルセット５０３を前方又は後方へ移動させて、ビニルハウス１９１の上から容易に取り除くことができる。これにより、ビニルハウス１０１のビニルフィルムを交換することができる。
【０１２６】
ビニルフィルムを交換した後は、太陽光発電パネルセット５０３を再び配置し、係止部材１０８の各々を棒状部１０４に再び取り付けることで、ビニルフィルムの交換に関する作業が完了する。
【０１２７】
このように、本実施の形態によれば、複数の太陽光発電パネル１０６を太陽光発電パネルセット５０３として、まとめて取り扱うことができる。また、太陽光発電パネルセット５０３の各々を棒状部１０４へ容易に着脱することができる。さらに、太陽光発電パネルセット５０３は、上述したように数人程度の人手で持ち上げて運搬できる程度の重量であり、連結部材５０７によって上に突き出た形状が維持されているので、太陽光発電パネルセット５０３を容易にビニルハウス１０１の上から取り除くことができる。
【０１２８】
このように、本実施の形態においても、実施の形態１と同様に、ビニルハウス１０１のビニルフィルムを交換する時の手間を大幅に軽減することが可能になる。
【０１２９】
さらに、実施の形態１と同様に、係止部材１０８は棒状部１０４に取り付けられているので、太陽光発電パネルセット１０３の各々は、少なくとも固定部１０５の間で、前後方向に移動することができる。そのため、例えば固定部１０５の各々の間の太陽光発電パネルセット１０３を、固定部１０５の各々の間で前方又は後方のいずれか一方にまとめるように移動させた状態でビニルフィルムが交換されてもよい。これによれば、実施の形態１と同様に、ビニルフィルムを交換する時の手間を、より一層軽減することが可能になる。
【０１３０】
従って、本実施の形態によれば、太陽電池パネル１０６の設置時及びビニルフィルムの交換時の手間を軽減することが可能になる。
【０１３１】
本発明の実施の形態２について説明したが、本実施の形態は、次のように変形されてもよい。
【０１３２】
例えば、実施の形態２に係る太陽光発電パネルセット５０３は、変形例１又は２と同様に、２つの連結部材５０７を接続する接続部材２１６又は３１６を有してもよい。なお、接続部材２１６又は３１６は、線状、帯状に限られず、管状、棒状、細長い平板状であってもよい。
【０１３３】
（変形例４）
実施の形態２に係る太陽光発電装置５００は、変形例３と同様のガイドレール４１７及び移動部材４１８を適用できるように変形されてもよい。本変形例では、連結部材の一端が、実施の形態２と同様に係止部材１０８が着脱可能に取り付けられ、連結部材の他端が、ガイドレールに４１７沿って前後方向に移動する移動部材４１８に取り付けられる例を説明する。
【０１３４】
本変形例に係る太陽光発電装置６００は、斜視図である図１５、正面図である図１６に示すように、実施の形態２と同様の固定部材１０２の対と、変形例３と同様のガイドレール４１７及び移動部材４１８と、実施の形態２とは異なる複数の太陽光発電パネルセット６０３とから構成される。
【０１３５】
本変形に係る太陽光発電パネルセット６０３の各々は、図１６に示すように、実施の形態２と同様の４つの太陽光発電パネル１０６及び２つの係止部材１０８と、実施の形態２とは異なる２つの連結部材６０７とから構成される。
【０１３６】
連結部材６０７の各々は、形状が実施の形態２に係る連結部材５０７の各々と異なる。本変形例に係る連結部材６０７の各々は、ビニルハウス１０１の上方にてビニルハウス１０１の上部近傍から左右いずれかの側部へ横架される。
【０１３７】
２つの連結部材６０７の各々の一端（図１６では、下方に位置する端部）に係止部材１０８が取り付けられている。これにより、連結部材６０７の各々の一方の端部は、係止部材１０８により固定部材１０２に着脱可能に取り付けられる。２つの連結部材１０７の各々の他端（図１６では、上方に位置する端部）は、移動部材４１８に取り付けられている。
【０１３８】
これらの点を除いて、本変形例に係る２つの連結部材６０７は、実施の形態２に係る２つの連結部材５０７と概ね同様に構成される。
【０１３９】
連結部材１０７の各々の他端は、例えば、変形例３で説明したように、屋根部４２１の貫通孔と連結部材１０７の各々の他端近傍に設けられる貫通孔とのそれぞれに挿通したワイヤ、紐、チェーンなど（図示せず）で締結することにより、移動部材４１８に取り付けられる。なお、連結部材１０７の各々の他端を移動部材４１８に取り付ける方法は、これに限られず、接着剤による接着や、溶接、適宜の器具などが利用されてもよい。
【０１４０】
このような太陽光発電装置６００は、変形例３に係る太陽光発電装置４００と概ね同様の方法で、ビニルハウス１０１に設置することができる。
【０１４１】
詳細には、実施の形態１と同様の工程１及び２（図６参照）が実行された後に、ガイドレール４１７と、移動部材４１８とが、ビニルハウス１０１の上部（最も高い箇所）に順に設置される。そして、工程３にて、連結部材６０７の他端が移動部材４１８に取り付けられる。これによって、太陽光発電パネルセット４０３は、ビニルハウス１０１の上部近傍から側方のいずれか（すなわち、左方または右方）へ、ビニルハウス１０１の上方にて垂れ下がるように、配置されることになる。
【０１４２】
１つの移動部材４１８には、図１５及び１６に示すように、左右それぞれに２つの連結部材１０７を取り付けることができる。そのため、同一の移動部材４１８に取り付けられた２つの連結部材６０７は、図１５及び１６に示すように、移動部材４１８から左右それぞれへ互いには離れる方向へ垂れさがるように対をなして配置されることになる。
【０１４３】
なお、工程１において、連結部材６０７の他端が移動部材４１８に取り付けられてもよい。この場合、ガイドレール４１７と移動部材４１８とをビニルハウス１０１の上部に順に配置することで、太陽光発電パネルセット４０３をビニルハウス１０１に設置することができる（工程３）。
【０１４４】
そして、実施の形態１と同様の工程４〜６（図６参照）を行うことで、太陽光発電装置６００をビニルハウス１０１に設置することができる。
【０１４５】
本変形例において、実施の形態２に追加される構成であるガイドレール４１７及び移動部材４１８は、変形例３にて説明したようにビニルハウス１０１に載置されればよく、せいぜいガイドレール４１７が適宜の方法でビニルハウス１０１に固定されればよい。すなわち、太陽光発電パネル１０６の１つ１つに対応して特別な器具をビニルハウスの躯体に取り付ける必要がない。また、太陽光発電パネル１０６を設置するために、ビニルフィルムに加工をする必要もない。そのため、実施の形態２と同様に、ビニルハウス１０１に太陽光発電パネル１０６を設置する時の手間を大幅に軽減することが可能になる。
【０１４６】
また、ビニルハウス１０１のビニルフィルムを交換する時には、係止部材１０８の各々を取り付けたまま、或いは適宜取り外して、移動部材４１８をガイドレール４１７に沿ってスライド移動させることによって、太陽光発電パネルセット６０３を前方又は後方に、容易にまとめることができる。
【０１４７】
このように、ビニルフィルムを交換するために、太陽光発電パネルセット６０３をズラすことが極めて容易にできる。
【０１４８】
また、ビニルフィルムを交換するために、太陽光発電パネルセット６０３をビニルハウス１０１から取り外す場合も、ビニルハウス１０１の前端又は後端まで、太陽光発電パネルセット６０３をスライド移動させるとよい。その後に、例えば図１７に示すように、作業員が、ビニルハウス１０１の左右の各々で連結部材５０７の下端部近傍Ｈ１，Ｈ２を保持して、太陽光発電パネルセット６０３を持ち上げて、ビニルハウス１０１から取り外すことができる。太陽光発電パネルセット６０３を持ち上げて移動させる距離が実施の形態２に係る太陽光発電装置５００よりも少なくて済むので、極めて容易に太陽光発電パネルセット６０３をビニルハウス１０１から取り外すことができる。
【０１４９】
そのため、ビニルハウス１０１のビニルフィルムを交換する時の手間を大幅に軽減することが可能になる。
【０１５０】
従って、本変形例によっても、太陽電池パネル１０６の設置時及びビニルフィルムの交換時の手間を軽減することが可能になる。
【０１５１】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【０１５２】
１００，４００  太陽光発電装置
１０１  ビニルハウス
１０２  固定部材
１０３，２０３，３０３  太陽光発電パネルセット
１０４  棒状部
１０５  固定部
１０６  太陽光発電パネル
１０７，３０７  連結部材
１０８  係止部材
１０９  電気配線
１１０  軸
１１１  第１係止片
１１２  第２係止片
１１３＿１  第１係止部
１１３＿２  第１操作部
１１４＿１  第２係止部
１１４＿２  第２操作部
１１５  バネ
２１６，３１６  接続部材
４１７  ガイドレール
４１８  移動部材
【図１】
2019071765.tif 000003
【図２】
2019071765.tif 000004
【図３】
2019071765.tif 000005
【図４】
2019071765.tif 000006
【図５】
2019071765.tif 000007
【図６】
2019071765.tif 000008
【図７】
2019071765.tif 000009
【図８】
2019071765.tif 000010
【図９】
2019071765.tif 000011
【図１０】
2019071765.tif 000012
【図１１】
2019071765.tif 000013
【図１２】
2019071765.tif 000014
【図１３】
2019071765.tif 000015
【図１４】
2019071765.tif 000016
【図１５】
2019071765.tif 000017
【図１６】
2019071765.tif 000018
【図１７】
2019071765.tif 000019